(57)【特許請求の範囲】
【請求項１】
シートを構成する側壁用帯状部に穿設された嵌合孔に、前記シートの角部に配設されるコーナー部材の垂直基板に突設された嵌合雄部を嵌合するとともに、前記シートを構成する側壁用帯状部から突出している嵌合雄部に、ロック部材の嵌合雌部を嵌合することにより組み立てられ、且つ、前記コーナー部材の角部の上端部に、段積み用凸状部が形成されているとともに、前記コーナー部材の角部の下端部に、シートパレットを段積みした際に、前記段積み用凸状部が嵌合される段積み用凹状部が形成されていることを特徴とするシートパレット。
【発明の詳細な説明】
【技術分野】
【０００１】
本発明は、プッシュプルフォークリフトを使用して、荷物を運搬する際に用いられるシートパレットに関するものである。
【背景技術】
【０００２】
一枚のシートを、浅い箱型に折って形成されたシートパレットが、特許文献１に開示されている。
【先行技術文献】
【特許文献】
【０００３】
【特許文献１】実用新案登録第２５９２０４０号公報
【発明の概要】
【発明が解決しようとする課題】
【０００４】
上述したようなシートパレットでは、強度や剛性が低く、耐久性に欠け、長期間の使用に耐えることができないという問題があった。
【０００５】
また、上述したシートパレットでは、強度や剛性が低く、形状を安定することが困難であるために、シートパレットの安定した段積みができないという問題があった。
【０００６】
更には、上述したシートパレットにおいては、一部が損傷した場合には、シートパレット全体を破棄しなければならないという問題があった。
【０００７】
本発明の目的は、上述した従来のシートパレットが有する課題を解決することになる。
【課題を解決するための手段】
【０００８】
本発明は、上述した目的を達成するために、シートを構成する側壁用帯状部に穿設された嵌合孔に、シートの角部に配設されるコーナー部材の垂直基板に突設された嵌合雄部を嵌合するとともに、シートを構成する側壁用帯状部から突出している嵌合雄部に、ロック部材の嵌合雌部を嵌合することにより組み立てられ、且つ、コーナー部材の角部の上端部に、段積み用凸状部を形成するとともに、コーナー部材の角部の下端部に、シートパレットを段積みした際に、段積み用凸状部が嵌合される段積み用凹状部を形成したものである。
【発明の効果】
【０００９】
シートを構成する側壁用帯状部に穿設された嵌合孔に、シートの角部に配設されるコーナー部材の垂直基板に突設された嵌合雄部を嵌合するとともに、シートを構成する側壁用帯状部から突出している嵌合雄部に、ロック部材の嵌合雌部を嵌合することにより、シートパレットを組み立てるように構成したので、シートパレットの角部の強度及び剛性を高めることができ、ひいては、シートパレット自体の強度及び剛性を高めることができる。
【００１０】
コーナー部材の角部の上端部に、段積み用凸状部を形成するとともに、コーナー部材の角部の下端部に、シートパレットを段積みした際に、段積み用凸状部が嵌合される段積み用凹状部を形成したので、安定した状態で、シートパレットを段積みすることができるとともに、また、シートパレットを段積みした際には、上に位置するシートパレットの重量が、下に位置するシートパレットのコーナー部材により支持されるので、下に位置するシートパレットが損傷するようなことを防止することができる。
【図面の簡単な説明】
【００１１】
【図１】図１は、本発明のシートパレットの分解平面図である。
【図２】図２は、本発明を構成するコーナー部材とロック部材の分解斜視図である。
【図３】図３は、本発明を構成するシートとコーナー部材とロック部材の分解斜視図である。
【図４】図４は、本発明を構成するコーナー部材とロック部材の分解斜視図である。
【図５】図５は、本発明を構成するシートとコーナー部材の組み立て途中の部分拡大斜視図である。
【図６】図６は、同じく、本発明を構成するシートとコーナー部材の組み立て途中の部分拡大斜視図である。
【図７】図７は、同じく、本発明を構成するシートとコーナー部材の組み立て途中の部分拡大斜視図である。
【図８】図８は、本発明を構成するシートとコーナー部材とロック部材とが組み立てられた状態の部分拡大斜視図である。
【図９】図９は、本発明のシートパレットの斜視図である。
【図１０】図１０は、本発明のシートパレットが段積みされた状態の斜視図である。
【図１１】図１１は、本発明のシートパレットが段積みされた状態の部分拡大斜視図である。
【図１２】図１２は、本発明のシートパレットの別の実施例の組み立て途中の部分拡大斜視図である。
【図１３】図１３は、本発明のシートパレットの更に別の実施例の組み立て途中の部分拡大斜視図である。
【実施例】
【００１２】
まず最初に、図１〜図４を用いて、本発明のシートパレットＳを構成する部材について説明する。
【００１３】
１は、シートであり、シート１は、方形状のシート本体１ａと、シート本体１ａの３つの辺部１ａ１には、折り目用罫線Ｌ１を介して、組み立てた際に、シートパレットＳの側壁を形成する側壁用帯状部１ｂが連接されている。側壁用帯状部１ｂは、シート本体１ａの辺部１ａ１にそって、帯状に形成されており、また、側壁用帯状部１ｂは、シート本体１ａの辺部１ａ１の長さより、短く形成されている。更に、側壁用帯状部１ｂとシート本体１ａの連接部分の両端部付近には、折り目用罫線Ｌ１に沿って、側壁用帯状部１ｂの端部から、側壁用帯状部１ｂの中央部方向に延在するスリット１ｃが形成されている。側壁用帯状部１ｂの両端部には、嵌合孔１ｂ１が穿設されており、また、嵌合孔１ｂ１より中央部寄りに位置する側壁用帯状部１ｂには、バンド用透孔１ｂ２が穿設されている。
【００１４】
シート本体１ａの４つの辺部１ａ１のうち、３つの辺部１ａ１には、上述したように、側壁用帯状部１ｂが連接されており、残りの１つの辺部１ａ１には、プッシュプルフォークリフトの把持装置により把持される把持用帯状部１ｄが連接されている。把持用帯状部１ｄは、シート本体１ａの辺部１ａ１にそって、帯状に形成されており、また、把持用帯状部１ｄは、シート本体１ａの辺部１ａ１の長さより、短く形成されている。把持用帯状部１ｄとシート本体１ａの連接部分との間には、上述した側壁用帯状部１ｂとシート本体１ａの連接部分に形成されているようなスリット１ｃは形成されていない。なお、シート本体１ａの辺部１ａ１に沿って、折り目用罫線Ｌ１が形成されている。
【００１５】
２は、平面形状が、略Ｌ字状に形成されたコーナー部材であり、コーナー部材２は、平面形状が、略Ｌ字状に形成された垂直基板２ａを有している。垂直基板２ａの上端には、垂直基板２ａの角部を挟んで、垂直基板２ａの両端垂直縁方向に、所定長さ、外面（コーナー部材２を介して、シート本体１ａ及び側壁用帯状部１ｂが、シートパレットＳに組み立てられた際に、シートパレットＳの外側に位置する面）２ａ１方向に延在する上端中央部水平リブ２ｂが形成されている。また、垂直基板２ａの下端には、垂直基板２ａの角部を挟んで、垂直基板２ａの両端垂直縁２ａ’まで、内面（コーナー部材２を介して、シート本体１ａ及び側壁用帯状部１ｂが、シートパレットＳに組み立てられた１に、シートパレットＳの内側に位置する面）２ａ２方向に延在する下端内側水平リブ２ｃが形成されている。
【００１６】
下端内側水平リブ２ｃの直ぐ上方に位置する垂直基板２ａの外面２ａ１には、下部中央部水平リブ２ｄが、上端中央部水平リブ２ｂの下方に形成されている。上端中央部水平リブ２ｂの両端と下部中央部水平リブ２ｄの両端とは、側端リブ２ｅにより連結されており、側端リブ２ｅは、上部垂直部２ｅ１、該上部垂直部２ｅ１の下端から垂直基板２ａの両端垂直縁２ａ’方向に延在する水平部２ｅ２及び該水平部２ｅ２の先端から下方に延在する下部垂直部２ｅ３とから形成されている。このようにして、コーナー部材２の角部には、上端中央部水平リブ２ｂと相対する側端リブ２ｅの上部垂直部２ｅ１とにより、側端リブ２ｅの水平部２ｅ２から突出した段積み用凸状部２ｆ’が形成されている。
【００１７】
側端リブ２ｅの下部垂直部２ｅ３を、下端内側水平リブ２ｃまで延在するとともに、延在された下部垂直部２ｅ３の下端には、垂直基板２ａの両端垂直縁２ａ’まで延在する下端水平ガイドリブ２ｇが形成されている。下端水平ガイドリブ２ｇは、垂直基板２ａの下端にから、垂直基板２ａの外面２ａ１に垂直に形成されており、また、下端水平ガイドリブ２ｇの幅（垂直基板２ａの外面２ａ１に対して垂直方向の長さ）は、下部中央部水平リブ２ｄの幅（垂直基板２ａの外面２ａ１に対して垂直方向の長さ）と同じに形成されている。そして、下端水平ガイドリブ２ｇの先端部には、垂直基板２ａの両端垂直縁２ａ’に向かって、垂直基板２ａ方向に傾斜した傾斜面２ｇ１が形成されている。
【００１８】
上述した下部中央部水平リブ２ｄの下面２ｄ１と、側端リブ２ｅを形成する下部垂直部２ｅ３の延在された延在部２ｅ’と、垂直基板２ａとにより、コーナー部材２の角部の下端部には、シートパレットＳを段積みした際に、上述した段積み用凸状部２ｆ’が嵌合される段積み用凹状部２ｆ”が形成されている。
【００１９】
また、下端水平ガイドリブ２ｇの裏面２ｇ２は、下端内側水平リブ２ｃの裏面２ｃ１より、下方に位置しており、下端水平ガイドリブ２ｇの裏面２ｇ２と下端内側水平リブ２ｃの裏面２ｃ１との垂直方向の高さＨ１は、シート本体１ａの厚さと、略同じになるように構成されている。
【００２０】
２ｈは、垂直基板２ａの垂直縁２ａ’付近の上端に、垂直基板２ａの外面２ａ１に対して垂直方向に延在する、上述した下端水平ガイドリブ２ｇと同様の上端水平ガイドリブであり、上端水平ガイドリブ２ｈの先端部にも、垂直基板２ａの両端垂直縁２ａ’に向かって、垂直基板２ａ方向に傾斜した傾斜面２ｈ１が形成されている。なお、２ｈ２は、垂直基板２ａの上端から水平方向に延在するとともに、側端リブ２ｅを形成する水平部２ｅ２と上端水平ガイドリブ２ｈとを連結する上端水平補強リブである。
【００２１】
側端リブ２ｅより、垂直基板２ａの垂直縁２ａ’側に位置する垂直基板２ａの外面２ａ１には、嵌合雄部２ｉが突設されており、また、嵌合雄部２ｉが突設されている垂直基板２ａの垂直縁２ａ’側に位置する垂直基板２ａには、バンド用透孔２ｊが穿設されている。
【００２２】
また、上述した下端水平ガイドリブ２ｇの上面２ｇ３には、垂直基板２ａに沿って、所定数の係止突起２ｋが突設されている。本実施例には、２個の係止突起２ｋが突設されている例が示されている。なお、２ｍは、下端内側水平リブ２ｃの適当な個所に穿設された、コーナー部材２の下端内側水平リブ２ｃとシートパレットＳのシート本体１ａとを連結する際に、使用されるリベットや螺子等が挿通される挿通孔である。コーナー部材２の下端内側水平リブ２ｃとシートパレットＳのシート本体１ａとを、溶着や接着材等により固着する場合には、このような挿通孔２ｍは、省略されることになる。更に、上端中央部水平リブ２ｂと下部中央部水平リブ２ｄとを連結する垂直リブ２ｎを、適当数、形成することもでき、また、相対する側端リブ２ｅを連結する水平リブ２ｐを形成することもできる。
【００２３】
次に、同じく、図１〜図４を用いて、シートパレットＳを構成するロック部材３について説明する。
【００２４】
ロック部材３は、方形状の板状基板３ａと、板状基板３ａを囲むように、板状基板３ａの各辺部から垂直方向に延在する周壁３ｂとを有している。また、板状基板３ａの外面（シートパレットＳの外側に位置する面）３ａ１の中央部には、筒状の嵌合雌部３ｃが形成されており、嵌合雌部３ｃの中央孔３ｃ１には、上述した、コーナー部材２の垂直基板２ａの外面２ａ１に突設された嵌合突部２ｉが嵌合されるように構成されている。更に、周壁３ｂの下部水平部３ｂ１には、上述したコーナー部材２を構成する下端水平ガイドリブ２ｇの上面２ｇ３に突設された係止突起２ｋが嵌合される係止孔３ｄが穿設されている。
【００２５】
次に、図５〜図９を用いて、コーナー部材２のシート１への取り付けについて説明する。
【００２６】
先ず最初に、図５及び図６に示されているように、平板状に展開された状態のシート１のシート本体１ａと側壁用帯状部１ｂとの間に形成されたスリット１ｃに、コーナー部材２の下端水平ガイドリブ２ｇを挿入するとともに、シート本体１ａの角部１ａ’を、コーナー部材２の下端内側水平リブ２ｃの裏面２ｃ１に配置する。次いで、側壁用帯状部１ｂを、折り目用罫線Ｌ１を中心に、コーナー部材２を形成する垂直基板２ａの外面２ａ１方向に回動させて、図７に示されているように、シート１を構成する側壁用帯状部１ｂに穿設された嵌合孔１ｂ１に、コーナー部材２の垂直基板２ａの外面２ａ１に突設された嵌合雄部２ｉを嵌合させる。シート１を構成する側壁用帯状部１ｂに穿設された嵌合孔１ｂ１に、コーナー部材２の垂直基板２ａの外面２ａ１に突設された嵌合雄部２ｉを嵌合させた際には、シート１を構成する側壁用帯状部１ｂの両端部に穿設された嵌合孔１ｂ１と、コーナー部材２の垂直基板２ａに穿設されたバンド用透孔２ｊとが、合致するように構成されている。
【００２７】
次いで、図７に示されているように、シート１を構成する側壁用帯状部１ｂから突出している嵌合雄部２ｉに、図８に示されているように、ロック部材３を構成する嵌合雌部３ｃの中央孔３ｃ１を嵌合させる。この際、ロック部材３の周壁３ｂの下部水平部３ｂ１に穿設された係止孔３ｄに、コーナー部材２の下端水平ガイドリブ２ｇの上面２ｇ３に突設された係止突起２ｋが、嵌合されることになる。このようにして、図９に示されているように、ロック部材３を介して、シート１に、コーナー部材２が取り付けられることになる。
【００２８】
上述したように、シート１を構成する側壁用帯状部１ｂに穿設された嵌合孔１ｂ１に、シート１の角部１ａ’に配設されたコーナー部材２の垂直基板２ａに突設された嵌合雄部２ｉが嵌合され、また、シート１を構成する側壁用帯状部１ｂから突出している嵌合雄部２ｉに、ロック部材３の嵌合雌部３ｃの中央孔３ｃ１を嵌合させることにより、シートパレットＳの角部を、強度及び剛性を有するコーナー部材２により補強したので、シートパレットＳ自体の強度及び剛性を高めることができる。
【００２９】
また、コーナー部材２の角部の上端部には、上端中央部水平リブ２ｂと相対する側端リブ２ｅの上部垂直部２ｅ１とにより、側端リブ２ｅの水平部２ｅ２から突出した段積み用凸状部２ｆ’が形成されており、また、コーナー部材２の角部の下端部には、下部中央部水平リブ２ｄの下面２ｄ１と、側端リブ２ｅを形成する下部垂直部２ｅ３の延在された延在部２ｅ’と、垂直基板２ａとにより、シートパレットＳを段積みした際に、段積み用凸状部２ｆ’が嵌合される段積み用凹状部２ｆ”が形成されている。
【００３０】
図１０及び図１１に示されているように、シートパレットＳを段積みした際には、上に位置するシートパレットＳａのコーナー部材２の角部の下端部に形成された段積み用凹状部２ｆ”に、下に位置するシートパレットＳｂのコーナー部材２の角部の上端部に形成された段積み用凸状部２ｆ’が嵌合されるように構成されているので、安定した状態で、シートパレットＳを段積みすることができる。また、シートパレットＳを段積みした際には、上に位置するシートパレットＳの重量は、下に位置するシートパレットＳの強度や剛性の高いコーナー部材２により支持されるので、下に位置するシートパレットＳが損傷するようなことを防止することができる。
【００３１】
また、シートパレットＳが、シート１とコーナー部材２とロック部材３の複数のパーツにより構成されているので、パーツの一部が損傷した際には、損傷したパーツのみを交換することができ、従って、従来のシートパレットのように、シートパレット全体を破棄するようなことがない。
【００３２】
更に、シートパレットＳを構成するコーナー部材２を構成する上端水平ガイドリブ２ｈには、傾斜面２ｈ１が形成されているとともに、同じく、コーナー部材２を構成する下端水平ガイドリブ２ｇにも、傾斜面２ｇ１が形成されているので、シートパレットＳ同士が当接したり、或いは、シートパレットＳに外部部材が当接した際には、上端水平ガイドリブ２ｈの傾斜面２ｈ１や下端水平ガイドリブ２ｇの傾斜面２ｇ１に沿って、シートパレットＳや外部部材が案内されて、シートパレットＳの損傷を防止することができるとともに、シートパレットＳが、外部部材に引っ掛かって、シートパレットＳの移動が阻害されるようなことを防止することができる。
【００３３】
上述した実施例においては、ロック部材３が、コーナー部材２と、別体に形成されている例が示されているが、図１２に示されている実施例は、ロック部材３の周壁３ｂの上部水平部３ｂ２を、コーナー部材２を構成する垂直基板２ａの上端に、図示されていない薄肉部を介して、ヒンジ連結したものである。このように構成することにより、シートパレットＳのパーツ数を減少することができ、従って、シートパレットＳの組み立て作業の作業効率を向上することができる。
【００３４】
図１３に示されている実施例は、上述した実施例におけるコーナー部材２の垂直基板２ａに穿設されたバンド用透孔２ｊを、横長のスリットに代えて、バンド用透孔２ｊ’を形成する上縁２ｊ１’を、上方に湾曲した円弧状縁としたものである。また、コーナー部材２の垂直基板２ａに穿設されたバンド用透孔２ｊ’を形成する上縁２ｊ１’を、上方に湾曲した円弧状縁に形成したことに対応して、シート１を構成する側壁用帯状部１ｂに穿設されたバンド用透孔１ｂ２も、バンド用透孔２ｊ’と同様に形状に形成されることになる。このように構成することにより、バンド用透孔２ｊ’、１ｂ２に挿通されたバンドを、バンド用透孔２ｊ’、１ｂ２の中央部に案内させることができる。
【００３５】
なお、上述した実施例においては、ロック部材３の周壁３ｂの下部水平部３ｂ１に穿設された係止孔３ｄに、コーナー部材２の下端水平ガイドリブ２ｇの上面２ｇ３に突設された係止突起２ｋを嵌合することにより、ロック部材３を介して、シート１に、コーナー部材２が取り付けるように構成した例が示されているが、上述した上端水平補強リブ２ｈ２の下面に、下端水平ガイドリブ２ｇの上面２ｇ３に突設された係止突起２ｋと同様の係止突起を突設し、また、ロック部材３の周壁３ｂの上部水平部３ｂ２に、下部水平部３ｂ１に穿設された係止孔３ｄと同様の係止孔を穿設することにより、ロック部材３を、上端水平補強リブ２ｈ２と下端水平ガイドリブ２ｇとの両方において、係止することもできる。
【符号の説明】
【００３６】
Ｓ・・・・・・・・・・・シートパレット
１・・・・・・・・・・・シート
２・・・・・・・・・・・コーナー部材
２ｆ’・・・・・・・・・段積み用凸状部
２ｆ”・・・・・・・・・段積み用凹状部
３・・・・・・・・・・・ロック部材
【図１】
0005390955.tif 000002
【図２】
0005390955.tif 000003
【図３】
0005390955.tif 000004
【図４】
0005390955.tif 000005
【図５】
0005390955.tif 000006
【図６】
0005390955.tif 000007
【図７】
0005390955.tif 000008
【図８】
0005390955.tif 000009
【図９】
0005390955.tif 000010
【図１０】
0005390955.tif 000011
【図１１】
0005390955.tif 000012
【図１２】
0005390955.tif 000013
【図１３】
0005390955.tif 000014